(57)【要約】      （修正有）【課題】高周波電源の大型化を抑制しつつ、生産効率を向上した樹脂容器用コーティング装置を提供する。【解決手段】電気的に独立した複数の外部電極であり、樹脂容器Ｂを各々格納する複数のチャンバ４０Ａ，４０Ｂ，４０Ｃ，４０Ｄと、接地電位の筒状の原料ガスのガス導通部５１が形成され、チャンバ４０Ａ，４０Ｂ，４０Ｃ，４０Ｄに格納された複数の樹脂容器Ｂの内部に挿入される複数の内部電極と、原料ガスを供給するガス供給部７０と、複数のチャンバ４０Ａ，４０Ｂ，４０Ｃ，４０Ｄに高周波電力を供給する高周波電源８０と、この高周波電力の供給先を、複数のチャンバ４０Ａ，４０Ｂ，４０Ｃ，４０Ｄのうちの第１のユニットＵ１を構成する第１及び第２のチャンバ４０Ａ，４０Ｂから第２のユニットＵ２を構成する第３及び第４のチャンバ４０Ｃ，４０Ｄに切り替えることが可能な電力切替部８５と、を備える。【選択図】図４
2014095116.tif 000002
【特許請求の範囲】
【請求項１】
互いに電気的に独立した複数の外部電極であり、複数の樹脂容器を各々独立した状態で格納する複数のチャンバと、
電気的に接地されるとともに筒状に形成され、内周部に原料ガスが導かれるガス導通部が形成され、前記チャンバに格納された複数の前記樹脂容器の内部にそれぞれ挿入される複数の内部電極と、
前記複数のチャンバに原料ガスを供給するガス供給部と、
前記複数のチャンバに高周波電力を供給する高周波電源と、
前記高周波電源から供給される高周波電力の供給先を、前記複数のチャンバのうちの一部のチャンバから他のチャンバに切り替えることが可能な電力切替部と、
を備えることを特徴とする樹脂容器用コーティング装置。
【請求項２】
前記ガス供給部から供給される原料ガスの供給先を、前記複数のチャンバのうちの一部のチャンバから他のチャンバに切り替えることが可能なガス切替部を備えることを特徴とする請求項１に記載の樹脂容器用コーティング装置。
【発明の詳細な説明】
【技術分野】
【０００１】
本発明は、チャンバ内に複数の樹脂容器を配置して一括成膜が可能な樹脂容器用コーティング装置に関する。
【背景技術】
【０００２】
家庭用品などに幅広く使用されるポリエチレンなどの樹脂は、一般的に酸素や二酸化炭素のような低分子ガスを透過する性質を有し、更に低分子有機化合物がその内部に収着してしまう性質も有している。このため、樹脂を容器として使用する際、ガラスなどの他の容器と比べ、その使用対象や使用形態などで種々の制約を受けることが知られている。例えば、樹脂容器に炭酸飲料水を充填して使用する場合には、その炭酸が容器を通じて外部に透過してしまい、炭酸飲料水としての品質を長期間維持するのが難しい場合がある。
【０００３】
そこで、樹脂容器を製造する際、樹脂容器における低分子ガスの透過、及び低分子有機化合物の収着による不都合を解消するため、その樹脂容器の内部表面などに対し、プラズマＣＶＤ成膜技術を用いてＤＬＣ（Ｄｉａｍｏｎｄ  Ｌｉｋｅ  Ｃａｒｂｏｎ）コーティングなどの成膜を行うものが知られている（例えば、特許文献１参照）。また、近年の生産効率化の要求から、複数の樹脂容器に対してこの種のコーティングを一括成膜する装置も知られている（例えば、特許文献２参照）。
【先行技術文献】
【特許文献】
【０００４】
【特許文献１】特許第２７８８４１２号
【特許文献２】特許第４５６７４４２号
【発明の概要】
【発明が解決しようとする課題】
【０００５】
複数の樹脂容器に対して一括成膜する際、高周波電源の電力が不十分であると、樹脂容器の内部表面に形成される膜の品質にバラツキが生じてしまう。一定のバリア性能を有する品質の良い膜を樹脂容器内に均一に形成するためには、容器の大きさ、形状等の条件に応じて最低限の電力が必要となるが、複数の樹脂容器に対して十分な電力を供給するためには大型の高周波電源が必要となり、装置のコストが増大してしまう。
【０００６】
本発明の目的は、高周波電源の大型化を抑制しつつ、生産効率を向上させることが可能な樹脂容器用コーティング装置を提供することにある。
【課題を解決するための手段】
【０００７】
本発明の樹脂容器用コーティング装置は、互いに電気的に独立した複数の外部電極であり、複数の樹脂容器を各々独立した状態で格納する複数のチャンバと、電気的に接地されるとともに筒状に形成され、内周部に原料ガスが導かれるガス導通部が形成され、前記チャンバに格納された複数の前記樹脂容器の内部にそれぞれ挿入される複数の内部電極と、前記複数のチャンバに原料ガスを供給するガス供給部と、前記複数のチャンバに高周波電力を供給する高周波電源と、前記高周波電源から供給される高周波電力の供給先を、前記複数のチャンバのうちの一部のチャンバから他のチャンバに切り替えることが可能な電力切替部と、を備えることを特徴とするものである。
【０００８】
また、本発明の樹脂容器用コーティング装置は、前記ガス供給部から供給される原料ガスの供給先を、前記複数のチャンバのうちの一部のチャンバから他のチャンバに切り替えることが可能なガス切替部を備えることが好ましい。
【発明の効果】
【０００９】
本発明の樹脂容器用コーティング装置によれば、プラズマ発生による成膜処理を複数の樹脂容器に対して順次行うことができる。即ち、まず、複数のチャンバのうち一部のチャンバに対して高周波電力を供給し、一部のチャンバに格納されている樹脂容器に対して成膜処理を行った後、電力切替部により高周波電力の供給先を切り替えて、残りのチャンバに格納されている樹脂容器に成膜処理を行うことができる。このように、成膜処理を複数のチャンバのうち所定の単位毎に順次行うことにより、一度の成膜処理に必要となる高周波電力が抑えられ、高周波電源を大型化する必要が無くなる。
また、例えば複数のチャンバを真空引き、若しくは複数のチャンバに原料ガスを供給する工程などの共通した成膜処置の前工程を、複数のチャンバに対して同時に一括して行うことができるため、生産効率の向上を図ることができる。
【図面の簡単な説明】
【００１０】
【図１】本発明に係る樹脂容器用コーティング装置の第１実施形態を説明する正面断面図である。
【図２】図１に示す樹脂容器用コーティング装置の側断面図である。
【図３】図１に示すチャンバの要部拡大断面図である。
【図４】第１実施形態の電気的接続構造及び配管構造を説明する模式図である。
【図５】第１実施形態のコーティング手順を説明するフロー図である。
【図６】第２実施形態の電気的接続構造及び配管構造を説明する模式図である。
【図７】第３実施形態の電気的接続構造及び配管構造を説明する模式図である。
【発明を実施するための形態】
【００１１】
以下、本発明に係る樹脂容器用コーティング装置の各実施形態について、図面を参照しながら説明する。
【００１２】
（第１実施形態）
まず、図１〜図５を参照しながら、本発明に係る樹脂容器用コーティング装置の第１実施形態について説明する。
【００１３】
本実施形態の樹脂容器用コーティング装置（以下、単に「コーティング装置」とも称する。）は、複数のチャンバ内に樹脂容器をそれぞれ格納し、プラズマＣＶＤ技術を用いてその内部表面などにケイ素化合物のガス等から構成される膜を形成する装置である。
なお、樹脂容器としては、例えば、炭酸飲料や果物ジュースなどの飲料水用のボトルや、化粧品や薬品用の容器が挙げられるが、これに限らず他の用途に用いる樹脂容器であっても良い。
【００１４】
本実施形態のコーティング装置１０は、図１〜３に示すように、基台となるベース部２０と、このベース部２０上に配置される平板状の絶縁板３０と、この絶縁板３０上に設置され、複数（本実施形態では４つ）の略円筒状の樹脂容器Ｂをそれぞれ個別に独立した状態で格納する４つの第１、第２、第３、及び第４の格納室Ｓ１，Ｓ２，Ｓ３，Ｓ４をそれぞれ有する第１、第２、第３及び第４のチャンバ４０Ａ，４０Ｂ，４０Ｃ，４０Ｄと、これら格納室Ｓ１，Ｓ２，Ｓ３，Ｓ４にそれぞれ設置された複数の樹脂容器Ｂの内部にそれぞれ挿入配置されるパイプ状（筒状）の内部電極５０と、チャンバ４０Ａ，４０Ｂ，４０Ｃ，４０Ｄの格納室Ｓ１，Ｓ２，Ｓ３，Ｓ４にそれぞれ連通して排気を行う排気部６０と、チャンバ４０Ａ，４０Ｂ，４０Ｃ，４０Ｄの格納室Ｓ１，Ｓ２，Ｓ３，Ｓ４に設置された樹脂容器Ｂの内部に原料ガスをそれぞれ供給するガス供給部７０（図４参照）と、を備えている。
【００１５】
ベース部２０は、ステンレスなどの金属ブロックにより形成され、矩形状の底板部２１と、この底板部２１の周縁から上方に延出する周壁部２５と、を有する。底板部２１、周壁部２５、及び絶縁板３０により内部空間Ｓ５が画成される。また、このベース部２０の底板部２１の上面部には、４つのねじ穴２２が略等間隔に直線状に並列した状態で設けられる。更に、ベース部２０の底板部２１内部には、４本のガス通路２３が設けられ、このガス通路２３は、上流端でガス供給部７０に接続され、下流端でねじ穴２２にそれぞれ接続されている。また、ベース部２０は、電気的に接地されている（図４参照）。
【００１６】
そして、第１、第２、第３及び第４のチャンバ４０Ａ，４０Ｂ，４０Ｃ，４０Ｄは、第１、第２、第３及び第４のチャンバ本体４１Ａ，４１Ｂ，４１Ｃ，４１Ｄと、これらチャンバ本体４１Ａ，４１Ｂ，４１Ｃ，４１Ｄの上部にそれぞれ着脱自在に取付けられ、これらチャンバ本体４１Ａ，４１Ｂ，４１Ｃ，４１Ｄの内部を密封状態にする第１、第２、第３及び第４のチャンバ蓋体４５Ａ，４５Ｂ，４５Ｃ，４５Ｄと、をそれぞれ有する。これらチャンバ４０Ａ，４０Ｂ，４０Ｃ，４０ＤはそれぞれプラズマＣＶＤの外部電極としても機能し、電気的に、後述するマッチングボックス８１及び電力切替部８５を介して高周波電源８０と接続される（図４参照）。チャンバ本体４１Ａ，４１Ｂ，４１Ｃ，４１Ｄは、矩形状の金属ブロックによりそれぞれ形成されており、樹脂容器Ｂの外形よりも若干大きい内径を有する円状の貫通穴４２Ａ，４２Ｂ，４２Ｃ，４２Ｄがそれぞれ形成されている。
【００１７】
これら貫通穴４２Ａ，４２Ｂ，４２Ｃ，４２Ｄは直線状に並列した状態で設けられており、またベース部２０の内部空間Ｓ５にそれぞれ連通している。これら貫通穴４２Ａ，４２Ｂ，４２Ｃ，４２Ｄの下部には、１つの平板状の容器保持板４３が配置されている。容器保持板４３には、貫通穴４２Ａ，４２Ｂ，４２Ｃ，４２Ｄにそれぞれ対応する位置に樹脂容器Ｂの口部よりもやや小さい径の開口部４３Ａが４つ形成されている。各格納室Ｓ１，Ｓ２，Ｓ３，Ｓ４に格納される樹脂容器Ｂは、容器保持板４３の開口部４３Ａの周囲の部分にてそれぞれ保持されるため、収納された樹脂容器Ｂが貫通穴４２Ａ，４２Ｂ，４２Ｃ，４２Ｄから脱落することはない。また、容器保持板４３には排気口４４が複数設けられており、各格納室Ｓ１，Ｓ２，Ｓ３，Ｓ４に格納された樹脂容器Ｂの内部および外部を同時に真空排気できる構成となっている。
【００１８】
チャンバ蓋体４５Ａ，４５Ｂ，４５Ｃ，４５Ｄは、チャンバ本体４１Ａ，４１Ｂ，４１Ｃ，４１Ｄとそれぞれ合わせられた状態でチャンバ本体４１Ａ，４１Ｂ，４１Ｃ，４１Ｄの貫通穴４２Ａ，４２Ｂ，４２Ｃ，４２Ｄにそれぞれ対応する位置に、互いに同径の有底穴４６Ａ，４６Ｂ，４６Ｃ，４６Ｄがそれぞれ形成される。即ち、チャンバ本体４１Ａ，４１Ｂ，４１Ｃ，４１Ｄとチャンバ蓋体４５Ａ，４５Ｂ，４５Ｃ，４５Ｄとがそれぞれ合わせられた状態において、チャンバ本体４１Ａ，４１Ｂ，４１Ｃ，４１Ｄの貫通穴４２Ａ，４２Ｂ，４２Ｃ，４２Ｄとチャンバ蓋体４５Ａ，４５Ｂ，４５Ｃ，４５Ｄの有底穴４６Ａ，４６Ｂ，４６Ｃ，４６Ｄとにより、樹脂容器Ｂを格納するための格納室Ｓ１，Ｓ２，Ｓ３，Ｓ４が直線上に並列配置された状態で形成されることになる。
【００１９】
内部電極５０は金属の円筒や角筒などの中空筒状のパイプ部材であり、その内周部で原料ガスを導くガス導通部５１を有している。内部電極５０は、容器保持板４３の各開口部４３Ａを経由して各格納室Ｓ１，Ｓ２，Ｓ３，Ｓ４に導入されている。また、内部電極５０の下部は、金属製の配管部材５２を介してベース部２０のねじ穴２２に螺合接合されている。これにより、チャンバ４０Ａ，４０Ｂ，４０Ｃ，４０Ｄの格納室Ｓ１，Ｓ２，Ｓ３，Ｓ４それぞれに、内部電極５０が挿入され、内部電極５０がチャンバ４０Ａ，４０Ｂ，４０Ｃ，４０Ｄの格納室Ｓ１，Ｓ２，Ｓ３，Ｓ４の中心部に位置するように配置される。また、このとき、ベース部２０は電気的に接地されているため、その螺合接合により内部電極５０は結果的に電気的に接地されることになる。また、同時に、ベース部２０において、ねじ穴２２はガス通路２３に連通しているため、内部電極５０のガス導通部５１は、ベース部２０のガス通路２３、及びガス供給部７０に結果的に接続されることになる（図４参照）。
【００２０】
また、ガス供給部７０の周辺において、ベース部２０のガス通路２３とガス供給部７０との間には、図２及び図４に示すように、オンオフ弁７２及びマスフローコントローラ７１が配置される。オンオフ弁７２がベース部２０のガス通路側に配置され、マスフローコントローラ７１はガス供給部７０側に配置される。
【００２１】
排気部６０は、図２に示すように、ベース部２０の内部空間Ｓ５と連通しているため、結果的にチャンバ４０Ａ，４０Ｂ，４０Ｃ，４０Ｄの格納室Ｓ１，Ｓ２，Ｓ３，Ｓ４にそれぞれ連通することになる。また、排気部６０は、下流側で真空ポンプ６１に接続されており、この真空ポンプ６１により、その内部空間Ｓ５を介してチャンバ４０Ａ，４０Ｂ，４０Ｃ，４０Ｄの格納室Ｓ１，Ｓ２，Ｓ３，Ｓ４の空気が排気されるように構成されている（図４参照）。
なお、真空ポンプ６１と内部空間Ｓ５との間にはオンオフ弁６２が配置されている。
【００２２】
そして、本実施形態では、図４に示すように、第１及び第２のチャンバ４０Ａ，４０Ｂが、電気的に一つの並列回路ユニットとなるように第１のユニットＵ１を構成している。同様に、第３及び第４のチャンバ４０Ｃ，４０Ｄも、電気的に一つの並列回路ユニットとしなるように第２のユニットＵ２を構成している。これに加えて、第１及び第２のユニットＵ１，Ｕ２自身も高周波電源８０に対し電気的に並列配置されている。
【００２３】
これら第１及び第２のユニットＵ１，Ｕ２と高周波電源８０との間に、電力切替部８５が配置される。この電力切替部８５はマッチングボックス８１を介して高周波電源８０に電気的に接続されている。また、電力切替部８５は、第１及び第２のスイッチ回路８６Ａ，８６Ｂを有し、第１のスイッチ回路８６Ａは第１のユニットＵ１に電気的に接続されており、第２のスイッチ回路８６Ｂは第２のユニットＵ２に電気的に接続されている。第１及び第２のスイッチ回路８６Ａ，８６Ｂは、電力切替部８５の指示に従ってその電力の開閉動作を交互に行い、例えば、第１のスイッチ回路８６Ａが閉じて第１のユニットＵ１に通電しているときには、第２のスイッチ回路８６Ｂは開き第２のユニットＵ２には通電させない。これにより、電力切替部８５は、高周波電源８０から供給される高周波電力の供給先を、第１及び第２のユニットＵ１，Ｕ２の間で交互に切り替える機能を有する。
なお、マッチングボックス８１とは、高周波電源８０と、第１及び第２のユニットＵ１，Ｕ２と、の間とのインピーダンス整合を図るものであり、コイルとコンデンサなどの電気素子の組み合わせによる整合回路から構成されている。
【００２４】
樹脂容器Ｂの内部に形成される膜の品質は、高周波電源８０の高周波の出力、樹脂容器Ｂ内の原料ガスの圧力、原料ガスの流量、プラズマ発生時間などの複数の要因に依存する。本実施形態では、各格納室Ｓ１，Ｓ２，Ｓ３，Ｓ４間の樹脂容器Ｂの膜の品質のばらつきを抑えるため、高周波電源８０から供給される電力をチャンバ４０Ａ，４０Ｂ，４０Ｃ，４０Ｄのうち一部、より具体的には第１又は第２のユニットＵ１,Ｕ２の単位ごとに集中させるために、上述した電力切替部８５を設けている。
【００２５】
更に次に、このように構成されるコーティング装置１０を用いた成膜方法について、図５を参照しながら説明する。
まず、チャンバ４０Ａ，４０Ｂ，４０Ｃ，４０Ｄのチャンバ蓋体４５Ａ，４５Ｂ，４５Ｃ，４５Ｄがそれぞれ外された状態で、複数の樹脂容器Ｂがチャンバ本体４１Ａ，４１Ｂ，４１Ｃ，４１Ｄの貫通穴４２Ａ，４２Ｂ，４２Ｃ，４２Ｄに上部から挿入されてそれぞれ格納される。このとき、貫通穴４２Ａ，４２Ｂ，４２Ｃ，４２Ｄは樹脂容器Ｂの最大胴径よりわずかに大きい内径になっているため、樹脂容器Ｂは、貫通穴４２Ａ，４２Ｂ，４２Ｃ，４２Ｄ内の所定の位置に保持される（ステップＳ１）。
なお、このとき、内部電極５０は、樹脂容器Ｂの口部から樹脂容器Ｂの内部にそれぞれ挿入される。
【００２６】
その後、チャンバ４０Ａ，４０Ｂ，４０Ｃ，４０Ｄのチャンバ蓋体４５Ａ，４５Ｂ，４５Ｃ，４５Ｄが閉められ、チャンバ４０Ａ，４０Ｂ，４０Ｃ，４０Ｄの格納室Ｓ１，Ｓ２，Ｓ３，Ｓ４がそれぞれ密封状態にされる（ステップＳ２）。
【００２７】
そして、チャンバ４０Ａ，４０Ｂ，４０Ｃ，４０Ｄ内の空気が排気部６０の真空ポンプ６１により排気され、チャンバ４０Ａ，４０Ｂ，４０Ｃ，４０Ｄの格納室Ｓ１，Ｓ２，Ｓ３，Ｓ４内が真空に近い状態（以下、真空状態とも称する）にされる。この真空状態が確認された後に、マスフローコントローラ７１、オンオフ弁７２が動作してガス供給部７０により原料ガスが継続して供給される。供給された原料ガスは、内部電極５０のガス導通部５１を通過して、内部電極５０の先端から原料ガスが放出される。これにより、樹脂容器の内部に原料ガスが供給される。（ステップＳ３）。
なお、このとき、排気部６０は、順次、格納室Ｓ１，Ｓ２，Ｓ３，Ｓ４内に充填され漏れ出てくる原料ガスを逐次排出している。
【００２８】
原料ガスの供給後、最初に、電力切替部８５が第２のスイッチ回路８６Ｂを電気的に開く一方で第１のスイッチ回路８６Ａを閉じることにより、第１のユニットＵ１にのみ高周波電源８０からの電力が供給される。この電力の供給により、外部電極としての第１及び第２のチャンバ４０Ａ，４０Ｂと、それぞれの格納室Ｓ１，Ｓ２に導入されている内部電極５０と、の間にプラズマが発生する。内部電極５０は電気的に接地されているが、第１及び第２のチャンバ４０Ａ，４０Ｂは絶縁板３０により電気的に絶縁状態とされるため、第１及び第２のチャンバ４０Ａ，４０Ｂと内部電極５０との間に電位差が生じる。これにより、第１及び第２のチャンバ４０Ａ，４０Ｂ内に格納されている２つの樹脂容器Ｂにおいて、その内部表面に膜が形成される（ステップＳ４）。
【００２９】
そして、第１及び第２のチャンバ４０Ａ，４０Ｂ内の樹脂容器Ｂに対する成膜が終了した後、次に、電力切替部８５はスイッチ切替動作を行って、第１のスイッチ回路８６Ａを電気的に開く一方で第２のスイッチ回路８６Ｂを閉じることにより、第２のユニットＵ２にのみ高周波電源８０からの電力が供給される。これにより、第３及び第４のチャンバ４０Ｃ，４０Ｄ内にプラズマが発生して、これらチャンバ４０Ｃ，４０Ｄ内に格納されている２つの樹脂容器Ｂにおいて、その内部表面に膜が形成される（ステップＳ５）。
【００３０】
即ち、このような連続的な電力切替部８５の動作により、順次、所定のユニットごと（本実施形態では、第１及び第２のユニットＵ１，Ｕ２ごと）にプラズマを発生させて、最終的に全部（本実施形態では、４つ）の樹脂容器Ｂの内部表面に膜が形成されることになる（ステップＳ６）。
【００３１】
以上説明したように、本実施形態の樹脂容器用コーティング装置１０によれば、高周波電源８０から供給される高周波電力の供給先を、第１のユニットＵ１を構成する第１及び第２のチャンバ４０Ａ，４０Ｂから第２のユニットＵ２を構成する第３及び第４のチャンバ４０Ｃ，４０Ｄに切り替えることが可能な電力切替部８５を備えるため、プラズマ発生による成膜処理を複数の樹脂容器Ｂに対して順次行うことができる。すなわち、まず、複数のチャンバ４０Ａ，４０Ｂ，４０Ｃ，４０Ｄのうち一部、即ち第１のユニットＵ１のチャンバ４０Ａ，４０Ｂに対して高周波電力を供給し、その一部のチャンバに格納されている樹脂容器Ｂに対して成膜処理を行った後、電力切替部８５により高周波電力の供給先を切り替えて、残りのチャンバ、即ち第２のユニットＵ２のチャンバ４０Ｃ，４０Ｄに格納されている樹脂容器Ｂに成膜処理を行うことができる。このように、成膜処理を複数のチャンバ４０Ａ，４０Ｂ，４０Ｃ，４０Ｄのうち所定の単位毎に順次行うことにより、一度の成膜処理に必要となる高周波電力が抑えられ、高周波電源８０を大型化する必要が無くなる。
【００３２】
また、本実施形態の樹脂容器用コーティング装置１０によれば、複数のチャンバ４０Ａ，４０Ｂ，４０Ｃ，４０Ｄを真空引き、若しくは複数のチャンバ４０Ａ，４０Ｂ，４０Ｃ，４０Ｄに原料ガスを供給する工程などの共通した成膜処置の前工程を、複数のチャンバ４０Ａ，４０Ｂ，４０Ｃ，４０Ｄに対して同時に一括して行うことができるため、生産効率の向上を図ることができる。
【００３３】
また、本実施形態の樹脂容器用コーティング装置１０によれば、複数のチャンバ４０Ａ，４０Ｂ，４０Ｃ，４０Ｄのうち一つのユニットのチャンバに対してのみ高周波電力（例えば、通常の成膜作成条件よりも高めの高周波電力）を供給することができるため、例えば樹脂容器Ｂの大きさや形状によって均一な膜を形成することが難しい場合には、条件を様々に変更させてみて最適な製造条件を検証することができ、条件出しを行うための実験的な用途としても利用することができる。
【００３４】
（第２実施形態）
次に、図６を参照して、本発明に係る樹脂容器用コーティング装置の第２実施形態について説明する。なお、上記第１実施形態と同一又は同等部分については、図面に同一或いは同など符号を付してその説明を省略或いは簡略化する。
【００３５】
本実施形態では、上述第１実施形態とは異なり、高周波電源８０と電力切替部８５との間には、マッチングボックスは設けられておらず、２つのマッチングボックス９１Ａ，９１Ｂが、第１及び第２のユニットＵ１，Ｕ２と、電力切替部８５と、の間にそれぞれ１つずつ配置されている。
【００３６】
この樹脂容器用コーティング装置９０によれば、２つのマッチングボックス９１Ａ，９１Ｂが、第１及び第２のユニットＵ１，Ｕ２と、電力切替部８５と、の間にそれぞれ１つずつ配置されているため、それぞれのユニットＵ１，Ｕ２に対応したインピーダンス整合をより精度良く行うことができ、これにより樹脂容器Ｂの膜の品質のばらつきをより一層抑えることができる。また、何かの原因で第１及び第２のユニットＵ１，Ｕ２の間でインピーダンスの差が大きくなってしまっていても、本実施形態においては個別にインピーダンス整合が行われているため、マッチングボックス９１Ａ，９１Ｂの調整を一度設定しておけば、その後は改めて調整を行う必要がない。このため、作業の効率化を図ることができる。その他の構成及び作用効果については、上記第１実施形態と同様である。
【００３７】
（第３実施形態）
次に、図７を参照して、本発明に係る樹脂容器用コーティング装置の第３実施形態について説明する。
なお、上記第１実施形態と同一又は同等部分については、図面に同一或いは同など符号を付してその説明を省略或いは簡略化する。
【００３８】
本実施形態では、図７に示すように、ガス供給部７０から見てオンオフ弁７２の下流側にガス分岐部１０１が設けられ、これにより、第１及び第２のガス供給路Ｐ１，Ｐ２が互いに独立した状態で構成される。第１のガス供給路Ｐ１は、第１のユニットＵ１を構成する第１及び第２のチャンバ４０Ａ，４０Ｂに原料ガスを供給するための流路である。第２のガス供給路Ｐ２は、第２のユニットＵ２を構成する第３及び第４のチャンバ４０Ｃ，４０Ｄに原料ガスを供給するための流路である。また、第１及び第２のガス供給路Ｐ１，Ｐ２には、オンオフ弁１０６Ａ，１０６Ｂがその経路の途中でそれぞれ配置されている。
【００３９】
より具体的には、オンオフ弁１０６Ａ，１０６Ｂは、ベース部２０のガス通路２３と、ガス分岐部１０１と、の間にそれぞれ配置されており、電力切替部８５のスイッチ切替動作に対応して原料ガスの供給又はその停止の動作を行っている。即ち、第１又は第２のユニットＵ１，Ｕ２のうち電力切替部８５により電力が供給される側にのみ、第１又は第２のオンオフ弁１０６Ａ，１０６Ｂのうちそれに対応する一方が所定のタイミングでそのガス供給路Ｐ１，Ｐ２を開き原料ガスを供給する。そして、電力切替部８５が他方のユニットＵ１，Ｕ２に電力の供給を切り替える際には、オンオフ弁１０６Ａ，１０６Ｂも、それに対応する形でその一方を閉じると共にその他方を開くことにより原料ガスの供給を切り替える。即ち、これらオンオフ弁１０６Ａ，１０６Ｂにより、ガス切替部１０５を構成している。
【００４０】
この樹脂容器用コーティング装置１００によれば、ガス供給部７０から供給される原料ガスの供給先を、複数のチャンバ４０Ａ，４０Ｂ，４０Ｃ，４０Ｄのうち第１のユニットＵ１を構成する第１及び第２のチャンバ４０Ａ，４０Ｂから第２のユニットＵ２を構成するチャンバ４０Ｃ，４０Ｄに交互に切り替えることができるガス切替部１０５を更に備えている。即ち、ガス供給部７０側においてガス分岐部１０１が設けられ、第１及び第２のユニットＵ１，Ｕ２に原料ガスをそれぞれ供給する第１及び第２のガス供給路Ｐ１，Ｐ２が構成され、これらガス供給路Ｐ１，Ｐ２には、オンオフ弁１０６Ａ，１０６がそれぞれ設けられているため、樹脂容器Ｂの内部表面に膜を形成する際、必要なユニット（Ｕ１，Ｕ２）のみに原料ガスを供給することができる。これにより、使用される原料ガスの無駄を削減し、製造コストの低減化を図ることができる。
その他の構成及び作用効果については、上記第１実施形態と同様である。
【００４１】
本発明は、前述した実施形態に限定されるものではなく、適宜、変形、改良、等が可能である。例えば、第２実施形態の構成（マッチングボックスをユニット毎に設ける構成）と第３実施形態の構成（ガス供給路とオンオフ弁をユニット毎に設ける構成）とを組み合わせて装置を構成しても良い。また、４つのチャンバを２つのユニットに分ける構成を例示したが、チャンバやユニットの数はこの例に限らず、適宜設定すれば良い。
【符号の説明】
【００４２】
１０，９０，１００：樹脂容器用コーティング装置、２０：ベース部、２１：底板部、２２：ねじ穴、２３：ガス通路、２５：周壁部、３０：絶縁板、４０Ａ，４０Ｂ，４０Ｃ，４０Ｄ：チャンバ、４１Ａ，４１Ｂ，４１Ｃ，４１Ｄ：チャンバ本体、４２Ａ，４２Ｂ，４２Ｃ，４２Ｄ：貫通穴、４３：容器保持部、４３Ａ：開口部、４４：排気口、４５Ａ，４５Ｂ，４５Ｃ，４５Ｄ：チャンバ蓋体、４６Ａ，４６Ｂ，４６Ｃ，４６Ｄ：有底穴、５０：内部電極、５１：ガス導通部、５２：配管部材、６０：排気部、６１：真空ポンプ、６２：オンオフ弁、７０：ガス供給部、７１：マスフローコントローラ、７２：オンオフ弁、８０：高周波電源、８１：マッチングボックス、８５：電力切替部、８６Ａ：第１のスイッチ回路、８６Ｂ：第２のスイッチ回路、９１Ａ：第１のマッチングボックス、９１Ｂ：第２のマッチングボックス、１０５：ガス切替部、１０６Ａ：第１のオンオフ弁、１０６Ｂ：第２のオンオフ弁、Ｐ１：第１のガス供給路、Ｐ２：第２のガス供給路、Ｓ１，Ｓ２，Ｓ３，Ｓ４：格納室、Ｓ５：内部空間、Ｕ１：第１のユニット、Ｕ２：第２のユニット
【図１】
2014095116.tif 000003
【図２】
2014095116.tif 000004
【図３】
2014095116.tif 000005
【図４】
2014095116.tif 000006
【図５】
2014095116.tif 000007
【図６】
2014095116.tif 000008
【図７】
2014095116.tif 000009